(57)【要約】  【課題】  他人に迷惑をかけることなく、着呼を確実に知ることができる着呼報知システム、該着呼報知システムを構成する携帯型通信装置及び携帯型電気機器を提供する。  【解決手段】  利用者Ａは、音楽を聴くための音楽再生装置２を携帯しており、音楽再生装置２には、ヘッドホン４を接続してある。音楽再生装置２は、携帯電話機１との間で無線通信により信号の送受信が行うことができる。携帯電話機１は、着呼した場合に、着呼通知信号を音楽再生装置２へ送信する。ヘッドホン４のスピーカが収納された部分の裏面には、後述する圧電素子を設けてあり、圧電素子は、音楽再生装置２で受信した着呼通知信号に基づいて振動する。圧電素子の振動が、ヘッドホン４を介して直接利用者Ａの人体（耳）へ伝わる。【選択図】      図１
2006345212.tif 000002
【特許請求の範囲】
【請求項１】
外部から着呼する携帯型通信装置と、人体に接触する接触部及び前記着呼を報知する報知手段を有する携帯型電気機器とを備える着呼報知システムであって、
前記携帯型通信装置は、
着呼したことを示す着呼通知信号を前記携帯型電気機器へ送信する手段を備え、
前記携帯型電気機器は、
着呼通知信号を受信する手段を備え、
前記報知手段は、
着呼通知信号を受信した場合に、前記接触部を通じて着呼を報知するようにしてあることを特徴とする着呼報知システム。
【請求項２】
前記携帯型通信装置は、
外部から着呼した場合、前記携帯型電気機器を検出するための検出信号を送信する手段を備え、
前記携帯型電気機器は、
検出信号を受信する手段と、
検出信号を受信した場合、該検出信号に呼応する呼応信号を前記携帯型通信装置へ送信する手段と
を備え、
前記携帯型通信装置は、
呼応信号を受信する手段を備え、
呼応信号を受信した場合、着呼通知信号を前記携帯型電気機器へ送信するようにしてあることを特徴とする請求項１に記載の着呼報知システム。
【請求項３】
前記携帯型電気機器は、
自身を識別する識別情報を送信する手段を備え、
前記携帯型通信装置は、
前記呼応信号を受信した場合、該呼応信号を送信した携帯型電気機器の識別情報を受信する手段と、
識別情報を記憶する記憶手段と、
受信した識別情報と記憶した識別情報とが一致するか否かを判定する判定手段と
を備え、
両識別情報が一致する場合、着呼通知信号を前記識別情報で識別される携帯型電気機器へ送信するようにしてあることを特徴とする請求項２に記載の着呼報知システム。
【請求項４】
前記携帯型電気機器は、
着呼通知信号の送信停止を指示する停止信号を前記携帯型通信装置へ送信する手段を備え、
前記携帯型通信装置は、
停止信号を受信した場合、着呼通知信号の送信を停止するようにしてあることを特徴とする請求項１乃至請求項３のいずれか１つに記載の着呼報知システム。
【請求項５】
前記携帯型通信装置は、
時間を計時する計時手段を備え、
停止信号を受信した場合に、着呼通知信号を送信した時点を記憶するようにしてあることを特徴とする請求項４に記載の着呼報知システム。
【請求項６】
前記携帯型通信装置は、
外部から着呼した場合、音、振動、又は光のいずれかで着呼したことを出力する出力手段と、
着呼に対して該出力手段又は前記送信手段のいずれを作動させるかを選択設定する設定指示を受け付ける受付手段と
を備え、
前記送信手段は、
前記受付手段が前記送信手段を作動させる設定指示を受け付けた場合、着呼通知信号を送信するようにしてあることを特徴とする請求項１乃至請求項５のいずれか１つに記載の着呼報知システム。
【請求項７】
外部から着呼した場合、音、振動、又は光のいずれかで着呼したことを出力する出力手段を備える携帯型通信装置において、
着呼したことを示す着呼通知信号を外部へ送信する送信手段と、
着呼に対して前記出力手段の出力又は前記送信手段の送信のいずれかを選択設定する設定指示を受け付ける受付手段と
を備え、
着呼通知信号の送信の設定指示を受け付けた場合、着呼通知信号を外部へ送信するようにしてあることを特徴とする携帯型通信装置。
【請求項８】
人体に接触する接触部を有する携帯型電気機器において、
外部から着呼したことを示す着呼通知信号を受信する手段と、
受信した着呼通知信号に基づいて、前記接触部を通じて着呼を報知する報知手段と
を備えることを特徴とする携帯型電気機器。
【請求項９】
前記接触部に設けられた圧電素子を備え、
前記報知手段は、
受信した着呼通知信号に基づいて、前記圧電素子を振動させるようにしてあることを特徴とする請求項８に記載の携帯型電気機器。
【請求項１０】
前記接触部に設けられた導電部を備え、
前記報知手段は、
受信した着呼通知信号に基づいて、低周波電圧を前記導電部に印加するようにしてあることを特徴とする請求項８に記載の携帯型電気機器。
【請求項１１】
前記接触部は、
人体の耳に付帯可能な形状にしてあり、
前記接触部に設けられた音声出力部を備え、
前記報知手段は、
受信した着呼通知信号に基づいて、前記音声出力部から音声を出力するようにしてあることを特徴とする請求項８に記載の携帯型電気機器。
【発明の詳細な説明】
【技術分野】
【０００１】
本発明は、他人に迷惑をかけることなく、着呼を確実に知ることができる着呼報知システム、該着呼報知システムを構成する携帯型通信装置及び携帯型電気機器に関する。
【背景技術】
【０００２】
携帯電話機、ＰＨＳ端末などの携帯型通信装置で着呼した場合、着呼を知らせる着呼報知には、断続音の発生によるリンガー方式、メロディ又は歌などを発生する方式、表示画面又はＬＥＤなどを点滅させる発光方式、小型モータで筐体を振動させるバイブレータ方式などがあり、利用者が好みの方式を設定することができる。
【０００３】
しかし、携帯電話機を衣服のポケットに収納して持ち運ぶ際に、音による着呼報知を停止し、発光による着呼報知を選択した場合は、利用者がその着呼報知を確認できないときがある。そこで、人の携帯時の振動を検出した検出信号が得られる場合は、着呼を振動で知らせ、また、検出信号が得られない場合は、着呼を光で行うことにより、状況に応じて着呼を変えて、利用者の利便性を向上するものが提案されている（特許文献１参照）。
【特許文献１】特開平４−２６８８５４号公報
【発明の開示】
【発明が解決しようとする課題】
【０００４】
しかしながら、特許文献１の例にあっては、携帯電話機を鞄に入れて持ち運ぶ場合には、利用者に振動が伝わらず、利用者が着呼に気づかない虞があった。また、着呼を光で知らせるためには、携帯電話機を利用者の視野の中に置いておく必要があり、確実に着呼を知らせることができない虞もあった。また、着呼音により他人に迷惑をかけないために、音による着呼報知を停止して、振動で着呼を報知するようにした場合に、多くの人が周囲にいるときは、着呼が誰の携帯電話機のものであるかを識別できない虞もあった。さらに、静けさを要求されるコンサート会場、セミナー会場などで着呼があった場合は、着呼時の振動音が耳障りとなり、他人に迷惑をかける虞もあった。
【０００５】
本発明は、斯かる事情に鑑みてなされたものであり、外部から着呼する携帯型通信装置と、人体に接触する接触部及び前記着呼を報知する報知手段を有する携帯型電気機器とを備え、前記携帯型通信装置は、着呼した場合、着呼通知信号を前記携帯型電気機器へ送信し、前記携帯型電気機器は、着呼通知信号を受信した場合に、前記接触部を通じて着呼を報知するようにしてあることにより、どのような状態でも、他人に迷惑をかけずに着呼を知ることができる着呼報知システムを提供することを目的とする。
【０００６】
また、本発明の他の目的は、前記携帯型通信装置は、外部から着呼した場合、前記携帯型電気機器を検出するための検出信号を送信し、前記携帯型電気機器は、検出信号を受信した場合、呼応信号を前記携帯型通信装置へ送信し、前記携帯型通信装置は、呼応信号を受信した場合、着呼通知信号を前記携帯型電気機器へ送信するようにしてあることにより、確実に着呼を報知することができる着呼報知システムを提供することにある。
【０００７】
また、本発明の他の目的は、受信した識別情報と予め記憶した識別情報とが一致するか否かを判定し、両識別情報が一致した場合に、着呼通知信号を前記識別情報で識別される携帯型電気機器へ送信することにより、所望の携帯型電気機器で着呼を報知することができる着呼報知システムを提供することにある。
【０００８】
また、本発明の他の目的は、携帯型電気機器から停止信号を受信した場合に、着呼通知信号の送信を停止することにより、携帯型電気機器へ送信した着呼通知信号が、前記携帯型電気機器で受信されたことを確認することができるとともに、着呼通知信号の送信時間を最小限にすることができる着呼報知システムを提供することにある。
【０００９】
また、本発明の他の目的は、携帯型電気機器から停止信号を受信した場合に、着呼通知信号を送信した時点を記憶することにより、携帯型電気機器で着呼通知信号を確実に受信したか否かを区別して明確にすることができる着呼報知システムを提供することにある。
【００１０】
また、本発明の他の目的は、着呼に対して、音、振動、又は光のいずれかで着呼したことを出力する出力手段又は着呼通知信号を送信する送信手段のいずれを作動させるかを選択設定する設定指示を受け付ける受付手段を備えることにより、状況に対応して着呼報知元を前記携帯型通信装置又は前記携帯型電気機器のいずれかに選択変更することができる着呼報知システム、及び該着呼報知システムを構成する携帯型通信装置を提供することにある。
【００１１】
また、本発明の他の目的は、受信した着呼通知信号に基づいて、前記接触部を通じて着呼を報知する報知手段を備えることにより、他人に迷惑をかけずに確実に着呼を知らせることができる携帯型電気機器を提供することにある。
【００１２】
また、本発明の他の目的は、前記接触部に圧電素子を設け、該圧電素子を振動させて着呼を報知することにより、他人に迷惑をかけずに確実に着呼を知らせることができる携帯型電気機器を提供することにある。
【００１３】
また、本発明の他の目的は、前記接触部に導電部を設け、該導電部に低周波電圧を印加して着呼を報知することにより、他人に迷惑をかけずに着呼を知らせることができる携帯型電気機器を提供することにある。
【００１４】
また、本発明の他の目的は、前記接触部は、人体の耳に付帯可能な形状にしてあり、前記接触部に設けられた音声出力部から音声を出力させて着呼を報知することにより、他人に迷惑をかけずに着呼を知らせることができる携帯型電気機器を提供することにある。
【課題を解決するための手段】
【００１５】
本発明に係る着呼報知システムは、外部から着呼する携帯型通信装置と、人体に接触する接触部及び前記着呼を報知する報知手段を有する携帯型電気機器とを備える着呼報知システムであって、前記携帯型通信装置は、着呼したことを示す着呼通知信号を前記携帯型電気機器へ送信する手段を備え、前記携帯型電気機器は、着呼通知信号を受信する手段を備え、前記報知手段は、着呼通知信号を受信した場合に、前記接触部を通じて着呼を報知するようにしてあることを特徴とする。
【００１６】
本発明に係る着呼報知システムは、前記携帯型通信装置は、外部から着呼した場合、前記携帯型電気機器を検出するための検出信号を送信する手段を備え、前記携帯型電気機器は、検出信号を受信する手段と、検出信号を受信した場合、該検出信号に呼応する呼応信号を前記携帯型通信装置へ送信する手段とを備え、前記携帯型通信装置は、呼応信号を受信する手段を備え、呼応信号を受信した場合、着呼通知信号を前記携帯型電気機器へ送信するようにしてあることを特徴とする。
【００１７】
本発明に係る着呼報知システムは、前記携帯型電気機器は、自身を識別する識別情報を送信する手段を備え、前記携帯型通信装置は、前記呼応信号を受信した場合、該呼応信号を送信した携帯型電気機器の識別情報を受信する手段と、識別情報を記憶する記憶手段と、受信した識別情報と記憶した識別情報とが一致するか否かを判定する判定手段とを備え、両識別情報が一致する場合、着呼通知信号を前記識別情報で識別される携帯型電気機器へ送信するようにしてあることを特徴とする。
【００１８】
本発明に係る着呼報知システムは、前記携帯型電気機器は、着呼通知信号の送信停止を指示する停止信号を前記携帯型通信装置へ送信する手段を備え、前記携帯型通信装置は、停止信号を受信した場合、着呼通知信号の送信を停止するようにしてあることを特徴とする。
【００１９】
本発明に係る着呼報知システムは、前記携帯型通信装置は、時間を計時する計時手段を備え、停止信号を受信した場合に、着呼通知信号を送信した時点を記憶するようにしてあることを特徴とする。
【００２０】
本発明に係る着呼報知システムは、前記携帯型通信装置は、外部から着呼した場合、音、振動、又は光のいずれかで着呼したことを出力する出力手段と、着呼に対して該出力手段又は前記送信手段のいずれを作動させるかを選択設定する設定指示を受け付ける受付手段とを備え、前記送信手段は、前記受付手段が前記送信手段を作動させる設定指示を受け付けた場合、着呼通知信号を送信するようにしてあることを特徴とする。
【００２１】
本発明に係る携帯型通信装置は、外部から着呼した場合、音、振動、又は光のいずれかで着呼したことを出力する出力手段を備える携帯型通信装置において、着呼したことを示す着呼通知信号を外部へ送信する送信手段と、着呼に対して前記出力手段の出力又は前記送信手段の送信のいずれかを選択設定する設定指示を受け付ける受付手段とを備え、着呼通知信号の送信の設定指示を受け付けた場合、着呼通知信号を外部へ送信するようにしてあることを特徴とする。
【００２２】
本発明に係る携帯型電気機器は、人体に接触する接触部を有する携帯型電気機器において、外部から着呼したことを示す着呼通知信号を受信する手段と、受信した着呼通知信号に基づいて、前記接触部を通じて着呼を報知する報知手段とを備えることを特徴とする。
【００２３】
本発明に係る携帯型電気機器は、前記接触部に設けられた圧電素子を備え、前記報知手段は、受信した着呼通知信号に基づいて、前記圧電素子を振動させるようにしてあることを特徴とする。
【００２４】
本発明に係る携帯型電気機器は、前記接触部に設けられた導電部を備え、前記報知手段は、受信した着呼通知信号に基づいて、低周波電圧を前記導電部に印加するようにしてあることを特徴とする。
【００２５】
本発明に係る携帯型電気機器は、前記接触部は、人体の耳に付帯可能な形状にしてあり、前記接触部に設けられた音声出力部を備え、前記報知手段は、受信した着呼通知信号に基づいて、前記音声出力部から音声を出力するようにしてあることを特徴とする。
【００２６】
本発明にあっては、携帯型通信装置は、外部から着呼した場合、着呼したことを示す着呼通知信号を携帯型電気機器へ送信する。該携帯型電気機器の報知手段は、着呼通知信号を受信した場合、人体に接触する接触部を通じて着呼を報知する。
【００２７】
本発明にあっては、携帯型通信装置は、外部から着呼した場合、携帯型電気機器を検出するための検出信号を送信する。携帯型電気機器は、前記検出信号を受信した場合、該検出信号に呼応する呼応信号を前記携帯型通信装置へ送信する。前記携帯型通信装置は、前記呼応信号を受信した場合、着呼通知信号を前記携帯型電気機器へ送信する。
【００２８】
本発明にあっては、携帯型通信装置は、携帯型電気機器から呼応信号を受信した場合、前記携帯型電気機器の識別情報を受信する。例えば、携帯型通信装置は、呼応信号を受信した場合、前記携帯型電気機器へ識別情報の送信を要求してもよく、又は予め呼応信号に識別情報を含ませておき、前記呼応信号から識別情報を受信してもよい。携帯型通信装置は、受信した識別情報と記憶した識別情報とが一致するか否かを判定し、両識別情報が一致する場合、着呼通知信号を前記識別情報で識別される携帯型電気機器へ送信する。
【００２９】
本発明にあっては、携帯型通信装置は、携帯型電気機器から着呼通知信号の送信停止を指示する停止信号を受信した場合、前記携帯型電気機器への着呼通知信号の送信を停止する。
【００３０】
本発明にあっては、携帯型通信装置は、携帯型電気機器から停止信号を受信した場合に、着呼通知信号を送信した時点を記憶する。
【００３１】
本発明にあっては、携帯型通信装置は、音、振動、又は光のいずれかで着呼したことを出力する出力手段と、着呼した場合に前記出力手段又は着呼通知信号を送信する送信手段のいずれを作動させるかを選択設定する設定指示を受け付ける受付手段とを備える。前記出力手段を作動させるように設定してある場合、携帯型通信装置は、着呼した場合、前記出力手段により着呼を報知する。一方、前記送信手段を作動させるように設定してある場合、携帯型通信装置は、着呼通知信号を携帯型電気機器へ送信し、該携帯型電気機器により着呼を報知する。
【００３２】
本発明にあっては、報知手段は、携帯型通信装置から着呼通知信号を受信した場合、受信した着呼通知信号に基づいて、接触部に設けられた圧電素子を振動させる。前記接触部は人体と接触しているため、前記圧電素子の振動が前記接触部を通じて人体に伝わる。
【００３３】
本発明にあっては、報知手段は、携帯型通信装置から着呼通知信号を受信した場合、受信した着呼通知信号に基づいて、人体に接触する接触部に設けられた導電部に、低周波電圧を印加する。
【００３４】
本発明にあっては、報知手段は、携帯型通信装置から着呼通知信号を受信した場合、受信した着呼通知信号に基づいて、人体の耳に付帯可能な形状の接触部に設けられた音声出力部から音声を出力する。
【発明の効果】
【００３５】
本発明にあっては、外部から着呼した携帯型通信装置が送信した着呼通知信号を携帯型通信装置で受信し、人体に接触する接触部通じて着呼を報知するようにしてあることにより、携帯型通信装置で振動により着呼を報知する場合に比べて、直接接触部を通じて着呼が伝わるため、周囲の状況に拘わらず、他人に迷惑をかけずに着呼を知ることができる。
【００３６】
本発明にあっては、携帯型通信装置は、外部から着呼した場合、携帯型電気機器を検出し、検出された携帯型電気機器へ着呼通知信号を送信するようにしてあることにより、携帯型電気機器が検知範囲にあることを確認することができ、確実に着呼を報知することができる。
【００３７】
本発明にあっては、携帯型通信装置は、受信した識別情報と予め記憶した識別情報とが一致するか否かを判定し、両識別情報が一致した場合に、着呼通知信号を前記識別情報で識別される携帯型電気機器へ送信することにより、着呼通知信号を所要の携帯型電気機器へ誤りなく送信することができる。
【００３８】
本発明にあっては、携帯型電気機器から停止信号を受信した場合に、携帯型通信装置は、着呼通知信号の送信を停止することにより、前記携帯型電気機器へ送信した着呼通知信号が、前記携帯型電気機器で受信されたことを確認することができ、また、着呼通知信号の送信時間を最小限にすることができる。
【００３９】
本発明にあっては、携帯型電気機器から停止信号を受信した場合に、携帯型通信装置は、着呼通知信号を送信した時点を記憶することにより、携帯型電気機器で着呼通知信号を確実に受信したか否かを区別して明確にすることができる。
【００４０】
本発明にあっては、着呼した場合に、携帯型通信装置又は携帯型電気機器のいずれで着呼を報知するかを選択設定する設定指示を受け付ける受付手段を備えることにより、状況に応じて、確実に着呼を報知する着呼報知元を選択することができ、利用者の利便性が向上する。
【００４１】
本発明にあっては、受信した着呼通知信号に基づいて、人体に接触する接触部を通じて着呼を報知することにより、着呼が接触部を通じて直接人体に伝わり、周囲の状況に拘わらず、他人に迷惑をかけずに確実に着呼を知らせることができる。
【発明を実施するための最良の形態】
【００４２】
実施の形態１
以下、本発明を実施の形態を示す図面に基づいて説明する。図１は本発明の実施の形態１に係る着呼報知システムの構成を示す概略図である。着呼報知システムは、携帯電話機１及び音楽再生装置２を備える。図において、１は携帯電話機である。携帯電話機１は、着呼した場合に音で着呼を報知する通常モード、音による着呼報知を停止して、振動又は光などで着呼を報知するマナーモードを有しており、利用者Ａは、利用者Ａの好み、又は利用者Ａの周囲の状況に応じて、いずれかのモードを設定することが可能である。
【００４３】
利用者Ａは、音楽を聴くための音楽再生装置２を携帯しており、音楽再生装置２には、ヘッドホン４を接続してある。音楽再生装置２は、携帯電話機１との間で無線通信により信号の送受信が行うことができる。  携帯電話機１は、着呼した場合に、着呼通知信号を音楽再生装置２へ送信することができる。ヘッドホン４のスピーカが収納された部分の裏面には、後述する圧電素子を設けてあり、圧電素子は、音楽再生装置２で受信した着呼通知信号に基づいて振動する。圧電素子の振動が、ヘッドホン４を介して直接利用者Ａの人体（耳）へ伝わる。
【００４４】
図２は携帯電話機１の構成を示すブロック図である。図において、１０ａはアンテナであり、無線部１０は、アンテナ１０ａを介して基地局（不図示）と無線通信により信号を送受信する。これにより、無線部１０は、基地局を介して相手側の携帯電話機から着呼し、相手側の携帯電話機との間で音声通信、データ通信などを行うことができる。また、無線部１０は、信号処理部１３との間で信号の授受を行う。
【００４５】
信号処理部１３は、無線部１０から入力された信号を復調する復調回路、無線部１０へ出力するための信号を変調する変調回路、信号を増幅する増幅回路などを備えている。また、信号処理部１３は、無線部１０から入力された信号を音声信号に変換し、変換後の音声信号を音声処理部１４へ出力するとともに、音声処理部１４から音声信号を受け取る。
【００４６】
音声処理部１４には、断続音を発生させるリンガー１４ａ、音声信号を外部に放音するスピーカ１４ｂ、音声を集音するマイク１４ｃなどを接続してある。
【００４７】
操作部１８は、ボタン、キーなどを備え、着呼をリンガー１４ａで報知する通常モード、及び着呼を後述のバイブレータ１６ａで報知するマナーモードのモード設定切り換え、電話番号の入力、文字入力、後述する識別情報の登録、携帯電話機１又は音楽再生装置２のいずれを優先して着呼の報知を行わせるかの設定、各種機能の起動指示などを行うことができる。
【００４８】
表示部１９は、液晶ディスプレイ、ＬＥＤなどを備え、各種画面を表示するとともに、マナーモード時の着呼をＬＥＤの発光により報知する。
【００４９】
記憶部１２は、利用者Ａが携帯する音楽再生装置２を登録するために、操作部１８から入力された音楽再生装置２の固有の識別情報を記憶している。また、記憶部１２は、操作部１８で携帯電話機１又は音楽再生装置２のいずれを優先して着呼の報知を行わせるかを設定した場合、携帯電話機１又は音楽再生装置２のいずれを優先して着呼の報知を行わせるかの設定情報を記憶する。
【００５０】
バイブレータ制御部１６は、超小型モータを備え、バイブレータ制御部１６には、バイブレータ１６ａを接続してある。バイブレータ制御部１６は、マナーモード時の着呼を、バイブレータ１６ａを振動させることにより報知する。
【００５１】
送受信部１１は、信号を変調、復調する変復調回路を備え、アンテナ１１ａを介して音楽再生装置２、腕時計３との間で無線通信（例えば、Bluetooth、IEEE802.11bなど）により信号を送受信する。送受信部１１は、アンテナ１１ａを介して、音楽再生装置２から呼応信号、識別情報、着呼通知信号の送信停止を要求する停止信号などを受信する。送受信部１１は、ＣＰＵ１５の制御の下、音楽再生装置２に対して、検出信号、着呼通知信号などを送信する。
【００５２】
ＣＰＵ１５は、携帯電話機１内部の処理を制御し、記憶部１２に記憶されたプログラムをＲＡＭ１７に読み込み、読み込んだプログラムを実行することにより、所要の処理を行う。例えば、他の携帯電話機からの発呼をアンテナ１０ａを介して無線部１０で着呼した場合に、着呼を信号処理部１３で処理し、送受信部１１はアンテナ１１ａを介して着呼通知信号を音楽再生装置２へ送信する処理を行う。
【００５３】
図３は音楽再生装置２の構成を示すブロック図である。図において、２４はＣＰＵである。ＣＰＵ２４は、記憶部２５に記憶されたプログラムを実行することにより、信号処理及び音楽再生装置２内部の制御を行う。
【００５４】
インタフェース部２０は、コンパクトディスク、ＭＤ、半導体メモリカードなどの記録媒体２０ａに記録された音楽データを取り込み、取り込んだ音楽データを復号処理部２１へ出力する。
【００５５】
復号処理部２１は、インタフェース部２０から入力された音楽データが暗号化されている場合に、暗号化された音楽データを復号し、音楽データが所定の形式で圧縮されている場合には、復号した音楽データをデコーダ２２へ出力する。
【００５６】
デコーダ２２は、復号処理部２１から入力された音楽データを所定のビットレートで伸張し、伸張した音楽データをＤ／Ａ変換部２３へ出力する。
【００５７】
Ｄ／Ａ変換部２３は、入力された音楽データをアナログ信号に変換し、変換されたアナログ信号は、ヘッドホン４により音声として出力される。
【００５８】
記憶部２５は、音楽再生装置２を識別する固有の識別情報（例えば、装置固体番号）を記憶している。
【００５９】
操作部２６は、各種ボタン、スイッチを備え、音楽の再生処理、後述する着呼信号の停止要求のための操作を行うことができる。
【００６０】
表示部２７は、液晶ディスプレイを備え、再生する音楽情報、再生状況、音楽再生装置２の動作状況などを表示する。
【００６１】
送受信部２８は、信号を変調、復調する変復調回路を備え、アンテナ２８ａを介して携帯電話機１との間で無線通信（例えば、Bluetooth、IEEE802.11bなど）により信号を送受信する。送受信部２８は、アンテナ２８ａを介して、携帯電話機１から検出信号、着呼通知信号などを受信する。送受信部２８は、ＣＰＵ２４の制御の下、携帯電話機１に対して、受信した検出信号に呼応する呼応信号、識別情報、着呼通知信号の送信の停止を要求する停止信号などを送信する。
【００６２】
圧電素子駆動部２９は、ＣＰＵ２４の制御の下、送受信部２８で着呼通知信号の受信が継続している間、所定の周波数のパルス電圧を出力し、圧電素子４ａに印加する。
【００６３】
圧電素子４ａは、例えば、矩形状の板状であって、板状の薄厚基板の一方の表面に設けてあり、薄膜基板の他方の表面はヘッドホン４の内側に当接して取り付けてある。圧電素子４ａに所定のパルス電圧を印加した場合、圧電素子４ａの電気振動が基板を介して人の耳に当接するヘッドホン４に伝わり、圧電素子４ａの電気振動が人体に伝わる。これにより、利用者Ａは、圧電素子４ａの電気振動により着呼を認識することができる。また、マナーモード時に携帯電話機１に内蔵した小型モータによる振動は、空気中を伝わって利用者に報知するため、所要の振動音が出力されるのに比較して、圧電素子４ａによる場合は、ヘッドホン４を通じて電気振動を直接人体の部位（例えば、耳）に伝えるため、振動音を小さくすることができ、他人に迷惑をかけずに、かつ確実に着音を知ることができる。
【００６４】
次に本発明の着呼報知システムの動作について説明する。図４は携帯電話機１の処理手順を示すフローチャートである。携帯電話機１は、他の携帯電話機から基地局を介して着呼する（Ｓ１１）。ＣＰＵ１５は、マナーモードが設定されているか否かを判定する（Ｓ１２）。マナーモードが設定されていない場合（Ｓ１２でＮＯ）、ＣＰＵ１５は、リンガーを駆動し（Ｓ１３）、処理を終了する。これにより、利用者Ａは、リンガーにより着呼があることを認識することができる。
【００６５】
マナーモードが設定されている場合（Ｓ１２でＹＥＳ）、ＣＰＵ１５は、記憶部１２に記憶した設定情報にアクセスすることにより、携帯電話機１又は音楽再生装置２のいずれの着呼報知元を優先するかを判定する（Ｓ１４）。優先する着呼報知元が携帯電話機１である場合（Ｓ１４で携帯電話機）、ＣＰＵ１５は、バイブレータを駆動し（Ｓ１５）、処理を終了する。これにより、利用者Ａは、携帯電話機１で着呼の報知を認識することができる。
【００６６】
優先する着呼報知元が音楽再生装置２である場合（Ｓ１４で音楽再生装置）、ＣＰＵ１５は、音楽再生装置２が近くに存在し、動作状態であるか否かを検出するための検出信号を送信する（Ｓ１６）。ＣＰＵ１５は、音楽再生装置２から検知信号に呼応する呼応信号による応答があるか否かを判定する（Ｓ１７）。
【００６７】
音楽再生装置２が、携帯電話機１の近くにない場合、又は近くにあっても動作状態でない場合などの理由で、音楽再生装置２からの応答がない場合（Ｓ１７でＮＯ）、ＣＰＵ１５は、検出信号を送信した後、所定時間（例えば、０．１秒、１秒など）が経過したか否かを判定する（Ｓ１８）。所定時間が経過していない場合（Ｓ１８でＮＯ）、ＣＰＵ１５は、ステップＳ１７以降の処理を続ける。一方、所定時間が経過した場合（Ｓ１８でＹＥＳ）、ＣＰＵ１５はステップＳ１５以降の処理を続ける。
【００６８】
音楽再生装置２からの呼応信号を受信することにより、応答があると判定した場合（Ｓ１７でＹＥＳ）、ＣＰＵ１５は、音楽再生装置２に対して識別情報要求を送信する（Ｓ１９）。ＣＰＵ１５は、識別情報を音楽再生装置２から受信し（Ｓ２０）、受信した識別情報と記憶してある識別情報とを照合し（Ｓ２１）、両識別情報が一致するか否かを判定する（Ｓ２２）。これにより、利用者Ａが、予め登録した音楽再生装置２であるか否かを確実に確認することができる。
【００６９】
受信した識別情報と記憶してある識別情報とが一致しない場合（Ｓ２２でＮＯ）、ＣＰＵ１５は、ステップＳ１５以降の処理を続ける。一方、両識別情報が一致する場合（Ｓ２２でＹＥＳ）、ＣＰＵ１５は、着呼通知信号を音楽再生装置２へ送信する（Ｓ２３）。なお、ＣＰＵ１５は、着呼通知信号の送信開始後の時間を計時し、所定時間（例えば、１０秒、２０秒など）の間、着呼通知信号の送信を継続する。ＣＰＵ１５は、音楽再生装置２から着呼通知信号の送信停止を要求する停止信号を受信したか否かを判定する（Ｓ２４）。
【００７０】
停止信号を受信していない場合（Ｓ２４でＮＯ）、ＣＰＵ１５は、所定時間（例えば、１０秒、２０秒など）を経過したか否かを判定する（Ｓ２５）。所定時間を経過していない場合（Ｓ２５でＮＯ）、ＣＰＵ１５は、ステップＳ２４以降の処理を続ける。所定時間を経過した場合（Ｓ２５でＹＥＳ）、着呼通知信号の送信を停止して、ステップＳ１５以降の処理を続ける。一方、停止信号を受信した場合（Ｓ２４でＹＥＳ）、ＣＰＵ１５は、着呼通知信号を送信した送信時刻、ステップＳ２０で受信した識別情報を記憶し（Ｓ２６）、着呼通知信号の送信を停止し（Ｓ２７）、処理を終了する。
【００７１】
以上説明したように、本発明にあっては、着呼報知元として、携帯電話機１よりも音楽再生装置２を優先して設定しておくことにより、携帯電話機１で着呼した場合に、着呼通知信号を音楽再生装置２へ送信し、音楽再生装置２に備えられた圧電素子の電気振動により、着呼を知らせることができ、周囲の状況に拘わらず、他人に迷惑をかけずに確実に着呼を知ることができる。
【００７２】
実施の形態２
実施の形態１では、着呼報知元として携帯電話機１と音楽再生装置２とを用いる構成であったが、着呼報知元は、これに限定されない。例えば、音楽再生装置２に代えて腕時計を用いることも可能である。
【００７３】
図５は本発明の実施の形態２に係る着呼報知システムの構成を示す概略図である。着呼報知システムは、携帯電話機１及び腕時計３を備える。図において、３は腕時計である。利用者Ａは、腕時計３を携帯しており、腕時計３は、携帯電話機１との間で無線通信により信号の送受信が行うことができる。携帯電話機１は、着呼した場合に、着呼通知信号を腕時計３へ送信することができる。腕時計３は、低周波電圧を発生する低周波電圧発生部を内蔵し、腕時計３の裏面には、人体に低周波の微小電流を流すための導電部を設けてあり、腕時計３で受信した着呼通知信号に基づいて低周波電圧を導電部に印加する。これにより、低周波電圧が、導電部を通じて直接利用者Ａの人体（手首）を刺激するようになっている。
【００７４】
携帯電話機１の構成は、実施の形態１と同様である。記憶部１２は、利用者Ａが携帯する腕時計３を登録するために、操作部１８から入力された腕時計３の固有の識別情報を記憶している。また、記憶部１２は、操作部１８で携帯電話機１又は腕時計３のいずれを優先して着呼の報知を行わせるかを設定した場合、携帯電話機１又は腕時計３のいずれを優先して着呼の報知を行わせるかの設定情報を記憶する。携帯電話機１の他の箇所は、実施の形態１と同様であるので、説明は省略する。
【００７５】
図６は腕時計３の構成を示すブロック図である。図において、３０は時計部である。時計部３０は、デジタル又はアナログ表示で時刻を表示する。
【００７６】
信号処理部３３は、信号処理及び腕時計３内部の制御を行う。
【００７７】
送受信部３２は、信号を変調、復調する変復調回路を備え、アンテナ３２ａを介して携帯電話機１との間で無線通信（例えば、Bluetooth、IEEE802.11bなど）により信号を送受信する。送受信部３２は、携帯電話機１から検出信号、着呼通知信号などを受信する。また、送受信部３２は、信号処理部３３の制御の下、携帯電話機１に対して、受信した検出信号に呼応する呼応信号、識別情報、着呼通知信号の送信の停止を要求する停止信号などを送信する。
【００７８】
記憶部３４は、腕時計３を識別する固有の識別情報（例えば、装置固体番号）を記憶している。
【００７９】
操作部３５は、時刻を調節するためのボタン、着呼通知信号の停止要求のためのボタンなどを備える。
【００８０】
低周波電圧発生部３６は、信号処理部３３の下、送受信部３２で着呼通知信号の受信が継続している間、低周波数の電圧を出力し、導電部３６ａ、３６ａに印加する。
【００８１】
導電部３６ａ、３６ａは、腕時計３本体とは絶縁され、所要の大きさを有する金属箔であって、人体と当接する腕時計３本体の裏面に、適長の離隔寸法を有して設けてある。低周波電圧発生部３６で発生した電圧は、導電部３６ａ、３６ａを通じて人体に印加され、手首の皮膚、筋肉などの抵抗値に応じて、微小な電流が手首に流れ、人体を刺激する。電池３１は、腕時計３の内部回路に所望の電源を供給する。なお、導電部３６ａとして金属箔に代えて、導電性のパッドであってもよい。
【００８２】
本発明の実施の形態２に係る着呼報知システムの動作は、実施の形態１と同様であるので、説明は省略する。
【００８３】
以上説明したように、着呼報知元として、携帯電話機１よりも腕時計３を優先して設定しておくことにより、携帯電話機１で着呼した場合に、着呼通知信号を腕時計３へ送信し、腕時計３に備えられた低周波電圧発生部３６で発生させた低周波電圧による人体刺激で着呼を知らせることができ、周囲の状況に拘わらず、他人に迷惑をかけずに確実に着呼を知ることができる。
【００８４】
上述の実施の形態では、利用者が、音楽再生装置２又は腕時計３のいずれかを携帯するものであったが、利用者は、音楽再生装置２及び腕時計３の両方を携帯してもよい。この場合は、着呼報知元として、音楽再生装置２又は腕時計３のいずれかを設定してもよく、また、音楽再生装置２及び腕時計３の両方を設定してもよい。両方を設定することにより、一層確実に着呼を認識することが可能になる。
【００８５】
実施の形態３
上述の実施の形態においては、音声再生装置２に圧電素子４ａを設ける構成であったが、これに限定されず、音声再生装置２のヘッドホン４を通じて着呼通知信号を出力して、他人に迷惑をかけずに、確実に着呼報知を行うこともできる。図７は音楽再生装置２の構成を示すブロック図である。図３との相違点は、圧電素子駆動部２９、圧電素子４ａに代えて、信号生成部２０１、Ｄ／Ａ変換部２０２を備える点である。
【００８６】
信号生成部２０１は、ＣＰＵ２４の制御の下、送受信部２８を介して入力された着呼通知信号（又は着呼通知信号を所望の信号、例えば、トーン信号などの音楽再生装置２で再生される音楽と区別できる信号）をＤ／Ａ変換部２０２へ出力する。
【００８７】
Ｄ／Ａ変換部２０２は、信号生成部２０１から入力された着呼通知信号をアナログ信号に変換し、変換したアナログ信号をヘッドホン４へ出力する。なお、図３と同一部分は、同一符号を付し、説明を省略する。
【００８８】
これにより、音楽再生装置２で着呼通知信号を受信した場合、利用者Ａは、音楽再生中に着呼通知信号を認識することができ、他人に迷惑をかけずに、確実に着呼報知を行うこともできる。なお、着呼通知信号を、音楽再生中に音楽と一緒に出力してもよく、また、音楽再生中の無音状態を検出し、無音状態である間に着呼通知信号を出力してもよく、また、着呼通知信号を出力する場合に、再生中の音楽の音量を下げるか、または再生を一旦休止させるようにしてもよい。
【００８９】
上述の実施の形態では、音声再生装置２に圧電素子４ａを設け、腕時計３に低周波電圧発生部３６を設ける構成であったが、これに限定されるものではなく、音声再生装置２に低周波電圧発生部３６を設け、腕時計３に圧電素子４ａを設ける構成であってもよい。
【００９０】
上述の実施の形態では、音声再生装置２、腕時計３の例について説明したが、着呼報知をする装置は、これに限定されるものではなく、人体の部位に接触する接触部を備える携帯装置であれば、イヤホンを接続した携帯ラジオなど、いずれのものであってもよい。
【００９１】
上述の実施の形態では、Bluetooth、IEEE802.11bなどの無線通信を用いる構成であったが、これに限定されるものではなく、赤外線通信などの他の通信形態を使用することも可能である。
【図面の簡単な説明】
【００９２】
【図１】本発明の実施の形態１に係る着呼報知システムの構成を示す概略図である。
【図２】携帯電話機の構成を示すブロック図である。
【図３】音楽再生装置の構成を示すブロック図である。
【図４】携帯電話機の処理手順を示すフローチャートである。
【図５】本発明の実施の形態２に係る着呼報知システムの構成を示す概略図である。
【図６】腕時計の構成を示すブロック図である。
【図７】音楽再生装置の構成を示すブロック図である。
【符号の説明】
【００９３】
１  携帯電話機
２  音楽再生装置
３  腕時計
４  ヘッドホン
４ａ  圧電素子
１１ａ  アンテナ
１１  送受信部
１２  記憶部
１５  ＣＰＵ
１７  ＲＡＭ
２８ａ  アンテナ
２８  送受信部
２９  圧電素子駆動部
３２ａ  アンテナ
３２  送受信部
３６  低周波電圧発生部
３６ａ  導電部
２０１  信号生成部
２０２  Ｄ／Ａ変換部
【図１】
2006345212.tif 000003
【図２】
2006345212.tif 000004
【図３】
2006345212.tif 000005
【図４】
2006345212.tif 000006
【図５】
2006345212.tif 000007
【図６】
2006345212.tif 000008
【図７】
2006345212.tif 000009